(57)【特許請求の範囲】
【請求項１】
車体の開口部を開閉可能なリッドの裏側に固定されるリテーナと、
該リテーナに回動可能に軸支されたロータと、
前記ロータの軸中心に対して点対称な位置に基端部をそれぞれ係合され、前記開口部周縁に係脱できるように、先端部を前記リッドの両側からそれぞれ出没可能に支持された一対のロッドと、
前記リッドの表側に押し引き可能に取付けられて、該押し引き操作によって前記ロータを回動させるノブと、
前記ロータに装着され、前記ロッドが前記リッドの両側から突出する方向に、常時回動付勢するリターンスプリングとを備え、
前記リテーナは、前記リッドの裏側に固定される取付け部と、前記ノブを回動可能に支持するノブ回動支持部と、前記ロータを回動可能に支持するロータ回動支持部とを有し、前記ロータには、前記ロータ回動支持部が挿入される回動筒部が設けられ、前記リテーナに前記ノブと前記ロータとが装着されており、
前記リターンスプリングは、前記ロータの回動筒部に装着されるコイル部と、このコイル部の一端から延出し、前記リテーナに引き掛けられる第１脚部と、前記コイル部の他端から延出し、前記ロータに引き掛けられる第２脚部とを有しており、
前記ノブを押し引き操作することにより、前記ロータが前記リターンスプリングに抗して回動し、前記ロッドが前記リッド内に引き込むように構成されていることを特徴とするサイドロック装置。
【請求項２】
車体の開口部を開閉可能なリッドの裏側に回動可能に軸支されたロータと、
前記ロータの軸中心に対して点対称な位置に基端部をそれぞれ係合され、前記開口部周縁に係脱できるように、先端部を前記リッドの両側からそれぞれ出没可能に支持された一対のロッドと、
前記リッドの表側に押し引き可能に取付けられて、該押し引き操作によって前記ロータを回動させるノブと、
前記ロータに装着され、前記ロッドが前記リッドの両側から突出する方向に、常時回動付勢するリターンスプリングとを備え、
前記ノブを押し引き操作することにより、前記ロータが前記リターンスプリングに抗して回動し、前記ロッドが前記リッド内に引き込むように構成されており、
前記ノブは前記リッドに対してほぼ平行な支軸を介して回動可能に支持され、前記ノブに設けられた押圧子と前記ロータに設けられた受け部とが前記リッドの開口を通して互いに当接し、前記ノブを引くことにより、前記押圧子が前記受け部を押して前記ロータを回動させるように構成されており、
前記ノブの押圧子と前記ロータの受け部との各接触面の両方が、円弧形状をなしており、かつ、両者の接触面の曲率半径が同一となるように構成されていることを特徴とするサイドロック装置。
【請求項３】
前記ロータの前記リッドとは反対側の面に、前記ロッドの基端部が係合する係合部が設けられている請求項１又は２記載のサイドロック装置。
【請求項４】
車体の開口部を開閉可能なリッドの裏側に固定されるリテーナと、
該リテーナに回動可能に軸支されたロータと、
前記ロータの軸中心に対して点対称な位置に基端部をそれぞれ係合され、前記開口部周縁に係脱できるように、先端部を前記リッドの両側からそれぞれ出没可能に支持された一対のロッドと、
前記リッドの表側に押し引き可能に取付けられて、該押し引き操作によって前記ロータを回動させるノブと、
前記ロータに装着され、前記ロッドが前記リッドの両側から突出する方向に、常時回動付勢するリターンスプリングとを備え、
前記ノブを押し引き操作することにより、前記ロータが前記リターンスプリングに抗して回動し、前記ロッドが前記リッド内に引き込むように構成されており、
前記リテーナは、前記リッドの裏側に固定される取付け部と、前記ノブを回動可能に支持するノブ回動支持部と、前記ロータを回動可能に支持するロータ回動支持部とを有し、このリテーナに前記ノブと前記ロータとが装着されており、
前記ロータは、その外周の対向する部分から半径方向外方へ延出された一対の延出部を有しており、
この延出部と前記リテーナとの接触面のいずれか一方に、前記ロータの回動中心を中心とする円弧状の突条が設けられており、
前記延出部の前記リテーナとは反対側の面には、前記ロッドの係合部が設けられていることを特徴とするサイドロック装置。
【請求項５】
車体の開口部を開閉可能なリッドの裏側に固定されるリテーナと、
該リテーナに回動可能に軸支されたロータと、
前記ロータの軸中心に対して点対称な位置に基端部をそれぞれ係合され、前記開口部周縁に係脱できるように、先端部を前記リッドの両側からそれぞれ出没可能に支持された一対のロッドと、
前記リッドの表側に押し引き可能に取付けられて、該押し引き操作によって前記ロータを回動させるノブと、
前記ロータに装着され、前記ロッドが前記リッドの両側から突出する方向に、常時回動付勢するリターンスプリングとを備え、
前記ノブを押し引き操作することにより、前記ロータが前記リターンスプリングに抗して回動し、前記ロッドが前記リッド内に引き込むように構成されており、
前記リテーナは、前記リッドの裏側に固定される取付け部と、前記ノブを回動可能に支持するノブ回動支持部と、前記ロータを回動可能に支持するロータ回動支持部とを有し、このリテーナに前記ノブと前記ロータとが装着されており、
前記ロータは、その周縁部の少なくとも一箇所に切欠き部を有し、前記リテーナには、前記ロータの外方に位置して前記ロータの厚さを超える長さで延出され、その先端に前記ロータの裏面側に係合する爪部を有する立壁が設けられ、前記ロータを前記リテーナに装着する際には前記切欠き部を通して前記爪部を前記ロータの裏面側に突出させ、その状態で前記ロータを回転させることにより、前記ロータの周縁に前記爪部が係合して前記ロータが抜け止めされるように構成されており、
前記リテーナと前記ロータとの間には、前記ロータを前記リテーナに装着して回転させたときに、前記ロータの切欠き部が前記リテーナの爪部に戻らないようにし、かつ、前記ロッドの前記リッド両側からの出没を可能とする所定の角度範囲で回動を許容する回動規制手段が設けられていることを特徴とするサイドロック装置。
【発明の詳細な説明】
【技術分野】
【０００１】
本発明は、例えば、自動車の開口部に設けられたリッドを閉じた状態にロックし、或いは、ロックを解除してリッドを開くためのサイドロック装置に関する。
【背景技術】
【０００２】
自動車のインストルメントパネルの助手席側には、グローブボックスが設けられている。このグローブボックスのリッドは、インストルメントパネルの開口部に開閉可能に取り付けられており、更に、リッドを閉じた状態にロックし、ロックを解除してリッドを開くためのロック装置が設けられている。
【０００３】
この種のロック装置としては、センタロック式とサイドロック式とが知られている。サイドロック式としては、下記特許文献１に、ケースと、このケースに回動可能に装着されたノブと、ケースに水平方向に摺動可能となるように支持された一対の摺動部材と、各摺動部材にそれぞれ取付けられ、リッドの左右両側から出没可能とされた一対のロッドとを有するサイドロック装置が開示されている。また、一対の摺動部材にはそれぞれラック溝が形成され、このラック溝に一つのピニオンギヤが介装されており、ノブを回動操作して一方の摺動部材を摺動させると、連動して他方の摺動部材も摺動し、ノブの操作によって一対のロッドをリッドの両側から出没可能となっている。
【特許文献１】特開２００４−２１１３８３号公報
【発明の開示】
【発明が解決しようとする課題】
【０００４】
しかしながら、上記特許文献１のサイドロック装置の場合、ピニオンギヤを介して、一方の摺動部材の摺動に連動させて、他方の摺動部材を摺動させるようにしているため、リッドの開閉操作がスムーズになされない場合があった。また、ラック溝とピニオンギヤとの間に遊びやガタツキがあると、一対のロッドの作動ストロークに差異が生じ、この場合もリッドの開閉操作に問題が生じる。
【０００５】
したがって、本発明の目的は、ノブの操作により一対のロッドを追随性よく動作させて、リッドの開閉ロック操作をスムーズに行うことができるサイドロック装置を提供することにある。
【課題を解決するための手段】
【０００６】
上記目的を達成するため、本発明の第１は、車体の開口部を開閉可能なリッドの裏側に固定されるリテーナと、
該リテーナに回動可能に軸支されたロータと、
前記ロータの軸中心に対して点対称な位置に基端部をそれぞれ係合され、前記開口部周縁に係脱できるように、先端部を前記リッドの両側からそれぞれ出没可能に支持された一対のロッドと、
前記リッドの表側に押し引き可能に取付けられて、該押し引き操作によって前記ロータを回動させるノブと、
前記ロータに装着され、前記ロッドが前記リッドの両側から突出する方向に、常時回動付勢するリターンスプリングとを備え、
前記リテーナは、前記リッドの裏側に固定される取付け部と、前記ノブを回動可能に支持するノブ回動支持部と、前記ロータを回動可能に支持するロータ回動支持部とを有し、前記ロータには、前記ロータ回動支持部が挿入される回動筒部が設けられ、前記リテーナに前記ノブと前記ロータとが装着されており、
前記リターンスプリングは、前記ロータの回動筒部に装着されるコイル部と、このコイル部の一端から延出し、前記リテーナに引き掛けられる第１脚部と、前記コイル部の他端から延出し、前記ロータに引き掛けられる第２脚部とを有しており、
前記ノブを押し引き操作することにより、前記ロータが前記リターンスプリングに抗して回動し、前記ロッドが前記リッド内に引き込むように構成されていることを特徴とするサイドロック装置を提供するものである。
【０００７】
上記第１の発明によれば、リッドを閉じたとき、リターンスプリングの付勢力によってロッドの先端部がリッドの両側から突出して、開口部周縁に係合することにより、リッドを閉じた状態に保持することができる。また、リッドの表側に配置されたノブを押し引き操作することにより、リターンスプリングの付勢力に抗してロータを回動させ、ロッドをリッド内に引き込ませることにより、開口部周縁との係合を解除してリッドを開かせることができる。
【０００８】
このようにノブの押し引き操作によってリッドを開くことができるので、操作しやすくなる。また、ロッドの基端部がロータに係合していて、ロータの回動により一対のロッドが追随性よく同時に作動し、かつ、各ロッドの作動ストロークに差異が生じないので、ノブを操作したときの遊びやガタ付きがなく、リッドの開閉操作をスムーズかつ確実に行うことができる。
また、リテーナに、ロータとノブとを予め組付けておき、リテーナをリッドの裏側に固定するだけで、ロータとノブとを装着することができるので、サイドロック装置の取付け作業性が向上する。
【０００９】
本発明の第２は、車体の開口部を開閉可能なリッドの裏側に回動可能に軸支されたロータと、
前記ロータの軸中心に対して点対称な位置に基端部をそれぞれ係合され、前記開口部周縁に係脱できるように、先端部を前記リッドの両側からそれぞれ出没可能に支持された一対のロッドと、
前記リッドの表側に押し引き可能に取付けられて、該押し引き操作によって前記ロータを回動させるノブと、
前記ロータに装着され、前記ロッドが前記リッドの両側から突出する方向に、常時回動付勢するリターンスプリングとを備え、
前記ノブを押し引き操作することにより、前記ロータが前記リターンスプリングに抗して回動し、前記ロッドが前記リッド内に引き込むように構成されており、
前記ノブは前記リッドに対してほぼ平行な支軸を介して回動可能に支持され、前記ノブに設けられた押圧子と前記ロータに設けられた受け部とが前記リッドの開口を通して互いに当接し、前記ノブを引くことにより、前記押圧子が前記受け部を押して前記ロータを回動させるように構成されており、
前記ノブの押圧子と前記ロータの受け部との各接触面の両方が、円弧形状をなしており、かつ、両者の接触面の曲率半径が同一となるように構成されていることを特徴とするサイドロック装置を提供するものである。
【００１０】
上記発明によれば、ノブに設けられた押圧子が、ロータの受け部に当接するようになっているので、ノブからの押し引き操作の力が、効果的にロータに伝達されて、ロッドの動作及びリッドの開閉操作がよりスムーズになされる。
【００１２】
また、ノブの押圧子と前記ロータの受け部との各接触面の少なくとも一方が円弧形状をなしているので、ノブの操作に伴ってロータが回転しても、その円弧面での接触位置が変化することにより、接触面での摺動を少なくして摩擦抵抗を軽減でき、軽い操作感で滑らかに動作させることができる。
【００１４】
更に、ノブの押圧子とロータの受け部との各接触面の両方が、円弧形状をなし、かつ、両者の接触面の曲率半径が同一となるように構成されているので、ノブの操作に伴ってロータが回動しても、各接触面の間に滑りが生じず、ころがり接触をしながら、ノブの押圧子がロータの受け部を押圧するようになるので、摩擦抵抗をより少なくして軽く操作することができる。しかも、ノブの押圧子及びロータの受け部の磨耗が少なくなるので、耐久性が向上する。
【００１７】
本発明の第３は、前記第１又は第２の発明において、前記ロータの前記リッドとは反対側の面に、前記ロッドの基端部が係合する係合部が設けられているサイドロック装置を提供するものである。
【００１８】
上記発明によれば、ロータのリッドとは反対側の面に、ロッドの係合部が設けられているので、ロータ回転動作の際に、ノブ等の他部材に干渉しにくくなると共に、サイドロック装置の取付け高さをなるべく低くして小型化を図れる。
【００１９】
本発明の第４は、車体の開口部を開閉可能なリッドの裏側に固定されるリテーナと、
該リテーナに回動可能に軸支されたロータと、
前記ロータの軸中心に対して点対称な位置に基端部をそれぞれ係合され、前記開口部周縁に係脱できるように、先端部を前記リッドの両側からそれぞれ出没可能に支持された一対のロッドと、
前記リッドの表側に押し引き可能に取付けられて、該押し引き操作によって前記ロータを回動させるノブと、
前記ロータに装着され、前記ロッドが前記リッドの両側から突出する方向に、常時回動付勢するリターンスプリングとを備え、
前記ノブを押し引き操作することにより、前記ロータが前記リターンスプリングに抗して回動し、前記ロッドが前記リッド内に引き込むように構成されており、
前記リテーナは、前記リッドの裏側に固定される取付け部と、前記ノブを回動可能に支持するノブ回動支持部と、前記ロータを回動可能に支持するロータ回動支持部とを有し、このリテーナに前記ノブと前記ロータとが装着されており、
前記ロータは、その外周の対向する部分から半径方向外方へ延出された一対の延出部を有しており、
この延出部と前記リテーナとの接触面のいずれか一方に、前記ロータの回動中心を中心とする円弧状の突条が設けられており、
前記延出部の前記リテーナとは反対側の面には、前記ロッドの係合部が設けられていることを特徴とするサイドロック装置を提供するものである。
【００２０】
上記発明によれば、ロータの延出部とリテーナとの接触面のいずれか一方に、ロータの回動中心を中心とする円弧状の突条が設けられているので、ロータとリテーナとの接触面積を小さくしてロータの回動に対する摩擦抵抗を小さし、回転動作をスムーズにすることができる。また、ロータの延出部のリテーナとは反対側の面にロッドの係合部が設けられているので、ロータの傾きを抑制してロッドを安定して支持することができる。
【００２１】
本発明の第５は、車体の開口部を開閉可能なリッドの裏側に固定されるリテーナと、
該リテーナに回動可能に軸支されたロータと、
前記ロータの軸中心に対して点対称な位置に基端部をそれぞれ係合され、前記開口部周縁に係脱できるように、先端部を前記リッドの両側からそれぞれ出没可能に支持された一対のロッドと、
前記リッドの表側に押し引き可能に取付けられて、該押し引き操作によって前記ロータを回動させるノブと、
前記ロータに装着され、前記ロッドが前記リッドの両側から突出する方向に、常時回動付勢するリターンスプリングとを備え、
前記ノブを押し引き操作することにより、前記ロータが前記リターンスプリングに抗して回動し、前記ロッドが前記リッド内に引き込むように構成されており、
前記リテーナは、前記リッドの裏側に固定される取付け部と、前記ノブを回動可能に支持するノブ回動支持部と、前記ロータを回動可能に支持するロータ回動支持部とを有し、このリテーナに前記ノブと前記ロータとが装着されており、
前記ロータは、その周縁部の少なくとも一箇所に切欠き部を有し、前記リテーナには、前記ロータの外方に位置して前記ロータの厚さを超える長さで延出され、その先端に前記ロータの裏面側に係合する爪部を有する立壁が設けられ、前記ロータを前記リテーナに装着する際には前記切欠き部を通して前記爪部を前記ロータの裏面側に突出させ、その状態で前記ロータを回転させることにより、前記ロータの周縁に前記爪部が係合して前記ロータが抜け止めされるように構成されており、
前記リテーナと前記ロータとの間には、前記ロータを前記リテーナに装着して回転させたときに、前記ロータの切欠き部が前記リテーナの爪部に戻らないようにし、かつ、前記ロッドの前記リッド両側からの出没を可能とする所定の角度範囲で回動を許容する回動規制手段が設けられていることを特徴とするサイドロック装置を提供するものである。
【００２２】
上記発明によれば、リテーナに形成された立壁の爪部に、ロータの切欠き部を整合させて、リテーナのロータ回動支持部にロータを押し込んで装着した後、ロータを回転させることにより、ロータを抜け止めして保持することができるので、ロータのリテーナへの装着作業を容易かつ迅速に行うことができる。
【発明の効果】
【００２３】
本発明のサイドロック装置によれば、リッドを閉じると、ロッドの先端部がリッドの両側から突出し開口部周縁に係合して、リッドを閉じた状態に保持でき、ノブを押し引き操作することにより、ロータを回動させロッドをリッド内に引き込んで、開口部周縁との係合を解除してリッドを開かせることができる。
【００２４】
このようにノブの押し引き操作によってリッドを開くことができるので、操作しやすくなる。また、ロッドの基端部がロータに係合し、ロータの回動により一対のロッドが追随性よく同時に作動し、かつ、各ロッドの作動ストロークに差異が生じないので、ノブを操作したときの遊びやガタ付きがなく、リッドの開閉操作をスムーズかつ確実に行うことができる。
【発明を実施するための最良の形態】
【００２５】
以下、図１〜１１を参照して、本発明のサイドロック装置の一実施形態について説明する。
【００２６】
このサイドロック装置は、例えば、自動車のインストルメントパネルの開口部に設けられた、箱型をなしたグローブボックス１のリッド２に適用される（図２（ａ），（ｂ）参照）。このグローブボックス１の両側下方には、図示しない支軸等が突設されており、これがインストルメントパネルの開口部６（図９，１０参照）の両側下方に設けられた図示しない軸孔等に挿入されて、開口部６に対してグローブボックス１のリッド２が開閉可能とされている。このリッド２の所定箇所には、リッド２を貫通する取付け開口部３が設けられ、この取付け開口部３に、本発明のサイドロック装置１０が取付けられている。
【００２７】
なお、この実施形態の場合、物品を収容可能な箱形状をなしたグローブボックスのリッドに適用されているが、例えば、インストルメントパネルや側壁等の被取付け面に、物品を収容する凹所が形成され、この凹所を閉塞する蓋体のようなリッドに適用してもよい。
【００２８】
図１及び図２（ａ），（ｂ）を併せて参照すると、本発明のサイドロック装置１０は、リッド２の裏側に固定されるリテーナ３０と、このリテーナ３０に押し引き可能に支持されると共に、リッド２の表側に配置されるノブ５０と、リテーナ３０のノブ５０とは反対側の面に回動可能に軸支されるロータ７０と、ロータ７０の軸中心に対し点対称に係合される一対のロッド９０，９１と、ロータ７０に装着されてロッド９０，９１をリッド２の両側から突出する方向に、回動付勢するリターンスプリング１００とを有している。
【００２９】
図３（ａ）を併せて参照すると、リテーナ３０は、その表側に、ノブ５０を掴み易くするための把持用凹部３２が形成された基部３１を有している。なお、便宜上、ノブ５０が装着される側をリテーナ３０の表側とする。また、基部３１の側部には、大小２つの取付け孔３３ａを有する、複数の取付け部３３が設けられており、リッド２裏側に固定可能とされている。
【００３０】
基部３１の長さ方向の所定箇所には、図１に示すような、長孔形状をなした押圧子移動孔３４が、基部３１を貫通して設けられている。更に、この押圧子移動孔３４を挟んで、基部３１の幅方向両側には、一対のノブ回動支持部３５，３５が設けられている。このノブ回動支持部３５，３５は、基部３１から立設する支持片３５ａ，３５ａと、各支持片３５ａの外側から突出する支軸３５ｂ，３５ｂとを有しており、支軸３５ｂ，３５ｂが、後述するノブ５０の軸孔５２，５２に挿入されて、ノブ５０が回動可能に軸支される。このとき、ノブ５０の押圧子５３は押圧子移動孔３４に挿入される。なお、支軸３５ｂの上方には、テーパ面３５ｃが設けられており、ノブ５０の軸孔５２への挿入性を高めている。
【００３１】
また、図３（ａ）に示すように、一方のノブ回動支持部３５の内側に隣接した位置には透孔３６ａが設けられ、この透孔３６ａ周縁から、Ｌ字状に屈曲した形状をなしたガタツキ抑制爪３６が突設されている。このガタツキ抑制爪３６には、後述するノブ５０のガタツキ抑制突起５６が当接して、ノブ５０のガタツキを抑制する（図８参照）。なお、ノブ５０の引き戻し時には、ガタツキ抑制爪３６は下方に撓むようになるので、ノブ５０の押し引き操作を可能としている。
【００３２】
図３（ｂ）に示すように、リテーナ３０の裏側であって、前記押圧子移動孔３４に隣接した箇所には、後述するロータ７０の軸孔７２及び回動筒部７４に挿入される部分となる、円筒状のロータ回動支持部３７が突設されている。なお、便宜上、ロータ７０が装着される側をリテーナ３０の裏側とする。
【００３３】
上記ロータ回動支持部３７を中心として、その外周であって、基部３１の幅方向両側に近接した位置には、円弧状をなした突条３８が対向して設けられ、更に、この突条３８に対して９０度ずれた位置に、立壁３９，３９が対向して設けられている。この立壁３９，３９は、後述するロータ７０の基板７１の外側面より外方に位置すると共に、ロータ７０の厚さを超える長さで延出しており、更に、各立壁３９の先端には、ロータ回動支持部３７に向かって、爪部４０，４０が突出している。
【００３４】
前述した円弧状の突条３８にはロータ７０の表面が当接し、一方、爪部４０は、ロータ７０の切欠き部８１を通り抜けて、ロータ７０をリテーナ３０に対して押し込み可能とすると共に、ロータ７０の裏面側に係合するようになっている。
【００３５】
なお、立壁３９の一方は、ロータ７０の必要以上の回動を規制するために、基部３１の側端部から立設した回転規制壁４１と一体に形成されている（図３（ｂ）及び図７参照）。これにより、図６の矢印Ｄ方向における、ロータ７０の回動規制を図っている。また、立壁３９の他方は、台座部４２に一体形成され、この台座部４２の上方にリターンスプリング１００の脚部１０２を引き掛けるための突起４３が設けられている（図７参照）。
【００３６】
更に、ロータ回動支持部３７の押圧子移動孔３４とは反対側の外周には、コ字状のスリット４４を介して回動規制爪４５が突設されており、この回動規制爪４５の基部３１への連結部側には、テーパ面４６が形成されている。この回動規制爪４５は、ロータ７０を押し込んだ当初は、後述するロータ７０の凹部８０に挿入され、ロータ７０回動時に、弾性変形して後述する円弧状溝部７９に移動して、図６の矢印Ｃ，Ｄ方向における、ロータ７０の回動規制を図っている。
【００３７】
図４（ａ），（ｂ）に示すように、リテーナ３０の表側に装着されるノブ５０は、リッド２の取付け開口部３に収容可能な大きさで形成されており、その先端部の両側には、軸孔５２が形成された支持片５１，５１が突設され、前述したリテーナ３０の支軸３５ｂ，３５ｂに回動可能に装着されるようになっている。
【００３８】
また、一方の支持片５１の内側に近接した箇所には、後述するロータ７０の受け部７６に当接する押圧子５３が突設されている。この押圧子５３は、ノブ５０の先端側が補強リブ５４により補強され、その反対側に円弧状をなした接触面５５が形成されており、これが後述する受け部７６の円弧状の接触面７８に接触するようになっている。この押圧子５３の接触面５５は、図１１（ａ）に示すように、中心Ｏ１に対して曲率半径Ｒ１で形成され、前記受け部７６の接触面７８の曲率半径Ｒ２と同一となるように設定されている。
【００３９】
そして、押圧子５３は、リテーナ３０にノブ５０を装着したときに、リテーナ３０の押圧子移動孔３４の前方に位置すると共に、その接触面５５が内側になるように挿入され、ノブ５０を図８の矢印Ａ方向に引き戻すと、押圧子５３が押圧子移動孔３４の前方から後方に移動するようになっている。
【００４０】
また、他方の支持片５１の内側に近接した箇所には、ガタツキ抑制突起５６が突設されており、これが前述したリテーナ３０のガタツキ抑制爪３６に当接して、ノブ５０が押し込まれた状態におけるガタツキを抑制している（図８参照）。
【００４１】
図５（ａ）に示すように、リテーナ３０の裏側に回動可能に支持されるロータ７０は、中央に軸孔７２が形成された円形状の基板７１と、この基板７１外周の対向する部分から、半径方向外方に延出された一対の延出部７３，７３とを有している。また、図５（ｂ）に示すように、基板７１の裏側には、軸孔７２周縁から円筒状の回動筒部７４が突設されている。そして、軸孔７２及び回動筒部７４内に、リテーナ３０のロータ回動支持部３７が挿入されて、リテーナ３０に対しロータ７０が回動可能に軸支される。なお、回動筒部７４の上方には、リターンスプリング１００のコイル部１０１の抜け止めとなる、突起７５が設けられている。
【００４２】
また、軸孔７２の外周の所定箇所には、前述したノブ５０の押圧子５３と当接する受け部７６が突設されている。この受け部７６は補強リブ７７により補強され、その反対側に円弧状の接触面７８が形成され、これが押圧子５３の接触面５５に接触する部分となる。また、受け部７６の接触面７８は、図１１（ａ）に示すように、中心Ｏ２に対して曲率半径Ｒ２で形成され、押圧子５３の接触面５５の曲率半径Ｒ１と同一とされている。
【００４３】
軸孔７２外周の前記受け部７６に対向する位置には、円弧状をなした円弧状溝部７９が形成され、この円弧状溝部７９の円弧形状に沿って、円弧状溝部７９から所定間隔を空けて凹部８０が形成されている。また、基板７１の外周縁部には、軸孔７２を中心として対向した箇所に、リテーナ３０の爪部４０を通過可能な切欠き部８１，８１が設けられており、更に、基板７１の片側外周は、リターンスプリング１００の鍵状脚部１０３を引き掛けるための引き掛け部８２が形成されている。
【００４４】
そして、ロータ７０を組み付けるべく、切欠き部８１，８１をリテーナ３０の爪部４０に整合させてロータ７０を押し込むと、回動規制爪４５が凹部８０に挿入され、更にロータ７０を図６の矢印Ｄ方向に回動させると、回動規制爪４５が円弧状溝部７９に移動すると共に、爪部４０がロータ７０の裏面に係合して、ロータ７０が回動可能に軸支される。このとき、ロータ７０の受け部７６は、その接触面７８を、リテーナ３０の押圧子移動孔３４の前方側に向けた状態で、押圧子移動孔３４内に挿入配置される（図８参照）。
【００４５】
また、ロータ７０の裏側であって、延出部７３，７３からは、一対の係合部８３，８３が突設されている。この係合部８３は、延出部７３から立設する支柱８４と、この支柱８４の上端から球状に膨出した球状部８５とを有しており、下記ロッド９０，９１の基端部９３に係合するようになっている。
【００４６】
ロッド９０，９１は、図１に示すように、その先端部９２がインストルメントパネルの開口部６（図９，１０参照）の周縁に係脱されるようになっており、基端部９３がロータ７０の係合部８３に係合するようになっている。なお、この実施形態の場合、ロッド９１の方がロッド９０よりも短く形成されている。また、先端部９２の一方の側面には、テーパ面９２ａが形成されている。
【００４７】
基端部９３は、上方が開口し、前述したロータ７０の球状部８５が挿入可能な大きさとされた枠形状をなしており、更にその前端面には、前記球状部８５よりもやや小さな内径で略円形状に切欠かれた切欠き部９３ａが設けられている。そして、基端部９３に挿入されたロータ７０の球状部８５が、切欠き部９３ａ周縁に当接することにより、係合部８３にロッド９０，９１が係合されるようになっている。
【００４８】
リターンスプリング１００は、ロータ７０の回動筒部７４に装着されるコイル部１０１と、コイル部１０１の一端から延出し、リテーナ３０の突起４３に引き掛けられる脚部１０２と、コイル部１０１の他端から延出し、ロータ７０の引き掛け部８２に引き掛けられる鍵状脚部１０３とから形成されている。このリターンスプリング１００を、前述したロータ７０に装着することにより、ロータ７０を図６の矢印Ｃ方向に回動付勢して、ロッド９０，９１の各先端部９２を、リッド２の両側から突出させるようになる。このとき、ロータ７０の受け部７６は、押圧子移動孔３４前方に向かって付勢されて、ノブ５０の押圧子５３に弾性的に当接した状態となる。
【００４９】
次に、本発明のサイドロック装置１０の作用効果について説明する。
【００５０】
このサイドロック装置１０は、例えば、次のようにして組み付けられる。なお、この組み付け順序は、下記の順序に限定されるものではない。
【００５１】
まず、ロータ７０の切欠き部８１，８１を、リテーナ３０の爪部４０，４０に整合させて、図６に示すようにリテーナ３０の裏側からロータ７０を押し込んで、ロータ７０の軸孔７２及び回動筒部７４にロータ回動支持部３７を挿入し、爪部４０，４０をロータ７０の裏面側に突出させる。このとき、ロータ７０表側の凹部８０に、リテーナ３０の回動規制爪４５が挿入される。この状態でロータ７０を矢印Ｄ方向に回動させると、テーパ面４６が凹部８０に押圧されて回動規制爪４５が下方に撓み、回動規制爪４５が凹部８０を乗り越えると、回動規制爪４５が弾性復帰して円弧状溝部７９内に挿入されると共に、爪部４０，４０がロータ７０の裏面側周縁に係合するようになる（図７参照）。
【００５２】
このように、リテーナ３０に形成された立壁３９の爪部４０に、ロータ７０の切欠き部８１を整合させ、リテーナ３０のロータ回動支持部３７に、ロータ７０を押し込んで装着した後、ロータ７０を回転させることにより、ロータ７０を抜け止めして保持することができるので、ロータ７０のリテーナ３０への装着作業を容易かつ迅速に行うことができる。
【００５３】
このとき、ロータ７０を矢印Ｃ方向へ回動させると、その最大回動時に、回動規制爪４５に形成された立壁面４７が、円弧状溝部７９の端部内周に当接するので、ロータ７０の矢印Ｃ方向への回動範囲を規制することができる。一方、ロータ７０を矢印Ｄ方向へ回動させると、その最大回動時に、ロータ７０の延出部７３の一方が、リテーナ３０の回転規制壁４１に当接するので、ロータ７０の矢印Ｄ方向への回動範囲を規制できる。
【００５４】
次いで、受け部７６を、リテーナ３０の押圧子移動孔３４の後方になるようにロータ７０を回動させ、この状態でリテーナ３０の表側から、ノブ５０の軸孔５２，５２にノブ回動支持部３５の支軸３５ｂ，３５ｂを挿入して、リテーナ３０にノブ５０を回動可能に装着する。そして、リターンスプリング１００のコイル部１０１を、ロータ７０の回動筒部７４に挿入し、脚部１０２をリテーナ３０の突起４３に引き掛け、鍵状脚部１０３をロータ７０の引き掛け部８２に引き掛けることにより、ロータ７０にリターンスプリング１００を装着して、ロータ７０を矢印Ｃ方向に回動付勢させる。
【００５５】
この状態で、取付け部３３の取付け孔３３ａに雄ネジ等を挿入し、図示しないリッド２裏側の雌ネジ孔等に螺着させて、リッド２裏側の取付け開口部３周縁に、取付け部３３を介してリテーナ３０を固定する。このとき、リッド２を表側から見ると、取付け開口部３内に、ノブ５０が収容された状態となっている。そして、ロータ７０の係合部８３の球状部８５を、ロッド９０，９１の基端部９３に挿入することにより、図７に示すように、一対のロッド９０，９１の基端部９３が、ロータ７０の軸中心に対して点対称な位置に係合されるようになる。その後、リッド２の裏側に、内カバー４及び外カバー５が装着されて、サイドロック装置１０の取付けが完了する（図２参照）。
【００５６】
このように、本発明のサイドロック装置１０においては、リテーナ３０に、ロータ７０とノブ５０とを予め組付けておき、リテーナ３０をリッド２の裏側に固定するだけで、ロータ７０とノブ５０とを装着することができるので、サイドロック装置１０の取付け作業性を向上させることが可能となる。
【００５７】
また、ロータ７０の裏側、すなわち、リッド２とは反対側の面に、ロッド９０，９１の係合部８３が設けられているので、ロータ７０の回転動作の際に、ノブ５０等の他部材に干渉しにくくなると共に、サイドロック装置１０自体の取付け高さをなるべく低くして小型化を図れるようになる。
【００５８】
こうして、リッド２に取付けられたサイドロック装置１０は、常時は、リターンスプリング１００の弾性付勢力により、図２に示すように、グローブボックス１両側の挿出口５ａから、ロッド９０，９１の先端部９２が突出するようになっている。
【００５９】
そして、インストルメントパネルの開口部６を閉じるべく、リッド２を押し込むと、開口部６周縁にロッド９０，９１のテーパ面９２ａが押圧されて、ロッド９０，９１の先端部９２がリッド２の内側に引き込まれ、先端部９２が開口部６を通過すると、ロッド９０，９１が弾性復帰し、先端部９２が再度押し出されて、開口部６の裏側周縁に係合するので、リッド２を閉じた状態にロックすることができる（図９参照）。
【００６０】
このロック状態で、図８の矢印Ａ方向にノブ５０を引き起こすと、ノブ５０の押圧子５３が、押圧子移動孔３４の前方から後方に移動すると共に、ロータ７０の受け部７６を押圧するようになるので、リターンスプリング１００の付勢力に抗して、図９の矢印Ｅ方向にロータ７０を回動させることができる。その結果、図１０に示すように、ロッド９０，９１をリッド２の内側に引き込ませて、開口部６周縁とのロッド９０，９１の先端部９２との係合を解除して、リッド２を開口部６から開かせることができる。
【００６１】
なお、ノブ５０の引き起こし操作を終えると、リターンスプリング１００の付勢力により、ロータ７０が図１０の矢印Ｆ方向に回動し、受け部７６が押圧子移動孔３４の後方から前方に移動して、ノブ５０の押圧子５３を押圧するようになるので、ノブ５０は図８の矢印Ｂ方向に自然と押し込まれるようになると共に、ロッド９０，９１の先端部９２が、再度、リッド２の両側から突出するようになる。
【００６２】
このように、ノブ５０を引き起こしたり、押し込まれたりする押し引き操作によって、リッド２を開閉させることができるので、回転操作によりリッドを開閉するロック装置に比べて、操作しやすくなる。また、ロッド９０，９１の基端部９３がロータ７０に係合していて、ロータ７０の回動により一対のロッド９０，９１が追随性よく同時に作動し、かつ、各ロッド９０，９１の作動ストロークに差異が生じないので、ノブ５０を操作したときの遊びやガタ付きがなく、リッド２の開閉操作をスムーズかつ確実に行うことができる。
【００６３】
また、本発明のサイドロック装置１０においては、ノブ５０の裏側から突出した押圧子５３が、ロータ７０の受け部７６に当接するようになっているので、ノブ５０からの押し引き操作の力が、効果的にロータ７０に伝達されて、ロッド９０，９１の動作及びリッド２の開閉操作がよりスムーズになされる。
【００６４】
更に、本発明のサイドロック装置１０においては、図１１（ａ）に示すように、ノブ５０の押圧子５３の接触面５５と、ロータ７０の受け部７６の接触面７８との両方が円弧形状をなしていると共に、接触面５５の曲率半径Ｒ１と、接触面７８の曲率半径Ｒ２とが、同一となるように構成されている。そして、リッド２のロック状態においては、押圧子５３は、受け部７６の接触面７８に、部分的に接触した状態となっている。
【００６５】
この状態でノブ５０を引き起こすと、押圧子５３が図１１（ａ）の矢印Ｇ方向に移動し、これに伴って受け部７６は、押圧子５３の接触面５５に常に接触しながら押圧される。すなわち、受け部７６は押圧子５３の接触面５５に対し、ころがり接触をしながら押圧されて、図１１（ｂ）に示すようにロータ７０が回動するようになる。
【００６６】
このように、押し引き操作に伴ってロータ７０が回転しても、接触面５５，７８の間に滑りが生じず、ころがり接触をしながら、ノブ５０の押圧子５３がロータ７０の受け部７６を押圧するようになるので、摩擦抵抗が極めて少なく、ノブ５０を軽く操作することができる。しかも、ノブ５０の押圧子５３、及び、ロータ７０の受け部７６の磨耗が少なくなるので、耐久性を向上させる。
【００６７】
また、本発明のサイドロック装置１０においては、リテーナ３０の裏側に、ロータ７０の回動中心を中心として、円弧状の突条３８，３８が設けられている。これによれば、ロータ７０とリテーナ３０との接触面積を小さくして、ロータ７０の回動に対する摩擦抵抗を小さくすることができるので、ロータ７０の回転動作をスムーズにすることが可能となる。また、ロータ７０の延出部７３，７３のリテーナ３０とは反対側の面に、ロッド９０，９１の係合部８３が設けられているので、ロータ７０の傾きを抑制して、ロッド９０，９１を安定して支持することができる。
【００６８】
なお、上記実施形態においては、リテーナ３０に支軸３５ｂが形成されていて、これがノブ５０の軸孔５２に挿入されてノブ５０を軸支しているが、リテーナ３０に軸孔等を形成し、ノブ５０に支軸等を形成して、ロータ７０を軸支するようにしてもよい。同様に、ロータ７０に支軸を突設させておき、リテーナ３０に軸孔を形成して、ロータ７０を軸支するようにしてもよい。また、支軸及び軸孔の組み合わせにより、対象物を軸支するのではなく、ノブ５０及びロータ７０を回動可能に支持することが可能であれば、その他の手段を用いてもよい。
【００６９】
また、上記実施形態においては、リテーナ３０に設けた回動規制爪４５、及び、ロータ７０の円弧状溝部７９が、本発明における回動規制手段をなしている。
【００７０】
図１２には、本発明のサイドロック装置の他の実施形態が示されている。なお、前記実施形態と実質的に同一部分には、同符号を付してその説明を省略する。
【００７１】
図１２には、その要部のみが示されているが、この実施形態においては、ロータ７０ａの回動手段が、前記実施形態のように、リテーナ３０に対して回動可能に軸支されるノブではなく、押し込み式のノブである点が相違する。なお、ロータ７０ａには、便宜上、ロッド９０，９１への係合部が省略されている。
【００７２】
すなわち、この実施形態における円形状のロータ７０ａには、その外周縁に沿って、円弧状のスリット８６が形成されており、このスリット８６の一端には、ロータ７０ａの厚さ方向下端から上端に向かって次第に傾斜するテーパ面８７が形成されている。また、押し込みノブ６０は、略矩形状の基板６１と、この基板６１の裏側から突設する押圧子６２とを有し、押圧子６２の一側は、斜め上方に切り掛かれてテーパ形状をなした押圧面６３が形成されている。また、押し込みノブ６０は、図示しない支持部材により、ロータ７０ａに対して垂直方向に近接離反可能に支持されており、更に、図示しないスプリング等により、常時はロータ７０ａから離反するように弾性付勢されている。
【００７３】
そして、図示しないスプリングの付勢力に抗して、図１２の矢印Ｈ方向に押し込みノブ６０を押し込むと、押圧子６２の押圧面６３により、ロータ７０ａのテーパ面が徐々に押圧されるので、ロータ７０ａを矢印Ｉ方向に回転させることができ、これによりロッド９０，９１をリッド２の内側に引き込むことが可能となる。押し込み後はスプリングの付勢力により、押し込みノブ６０がロータ７０ａから離反するように引き戻されて、この実施形態においても、押し引き動作がなされるようになっている。
【００７４】
なお、この実施形態においては、テーパ面８７が本発明における受け部をなしている。
【００７５】
また、図１〜１１に示す実施形態、及び、図１２に示す実施形態においては、押圧子５３，６２は、ノブの裏側からほぼ垂直に突設した突起形状をなしているが、ノブの押し引き操作により、対応する受け部を押圧することが可能であれば、その形状は特に限定されるものではない。
【図面の簡単な説明】
【００７６】
【図１】本発明のサイドロック装置の一実施形態を示す分解斜視図である。
【図２】同サイドロック装置が取付けられるグローブボックスを示しており、（ａ）はその斜視図、（ｂ）は（ａ）の背面から見た場合の一部切欠き斜視図である。
【図３】同サイドロック装置のリテーナを示しており、（ａ）はその斜視図、（ｂ）は（ａ）の底面から見た場合の斜視図である。
【図４】同サイドロック装置のノブを示しており、（ａ）はその斜視図、（ｂ）は（ａ）の底面から見た場合の斜視図である。
【図５】同サイドロック装置のロータを示しており、（ａ）はその斜視図、（ｂ）は（ａ）の底面から見た場合の斜視図である。
【図６】リテーナに、ロータを組付ける際の手順を説明する斜視図である。
【図７】同サイドロック装置の要部拡大斜視図である。
【図８】同サイドロック装置の要部断面図である。
【図９】リッドがロックされた状態を、リッドの内側から見た場合の説明図である。
【図１０】リッドのロックが解除された状態を、リッドの内側から見た場合の説明図である。
【図１１】同サイドロック装置における、ノブの押圧子と、ロータの受け部との動作を示しており、（ａ）はリッドのロック状態における説明図、（ｂ）はリッドのロックが解除された状態における説明図である。
【図１２】本発明のサイドロック装置の他の実施形態を示す斜視図である。
【符号の説明】
【００７７】
１  グローブボックス
２  リッド
１０  サイドロック装置
３０  リテーナ
３４  押圧子移動孔
３５  ノブ回動支持部
３７  ロータ回動支持部
３８  突条
３９  立壁
４０  爪部
４５  回動規制爪
５０  ノブ
５３  押圧子
５５  接触面
６０  ノブ
６２  押圧子
７０  ロータ
７３  延出部
７６  受け部
７８  接触面
８１  切欠き部
８３  係合部
９０，９１  ロッド
９２  先端部
９３  基端部
１００  リターンスプリング
【図１】
0004699160.tif 000002
【図２】
0004699160.tif 000003
【図３】
0004699160.tif 000004
【図４】
0004699160.tif 000005
【図５】
0004699160.tif 000006
【図６】
0004699160.tif 000007
【図７】
0004699160.tif 000008
【図８】
0004699160.tif 000009
【図９】
0004699160.tif 000010
【図１０】
0004699160.tif 000011
【図１１】
0004699160.tif 000012
【図１２】
0004699160.tif 000013